(57)【要約】【課題】水槽の大きさに関係なく適用できるうえ、照明器具を水槽上の所定リフト位置に適正に支持できる水槽用照明器具のリフト用具を提供する。【解決手段】照明器具１の保持部３１を有する支持脚体３０と、支持脚体３０を上下方向へ変移可能に保持し、かつ前後一対の凹部４３，４３を有する取り付け体４０とを備え、各凹部４３内に配置されて締め付けねじ４５で凹部奥側で変移される可動挟着部材４０における水平片部４４の先端に垂設された挟着片４４ｄを前記水槽２の上端縁枠部２０の内面つば部２０ａ上まで延設し、締め付け用ねじ４５のねじ締めにより前記可動挟着部材４４を凹部４３奥側に変移させた際の前記水平片部４４ｃの上方への変形を抑止するブロック５０を前記可動挟着部材４４内に内嵌する。【選択図】      図４
2006217885.tif 000002
【特許請求の範囲】
【請求項１】
鑑賞用水槽の上端縁枠部上に載置される横長の照明器具を該水槽上の所定高さまでリフトさせて支持可能な水槽用照明器具のリフト用具において、
上端部に前記照明器具の長手方向の端部を下方から保持するための保持部を有する支持脚体と、
幅方向中央部に前記支持脚体を上下方向へスライド変移可能にガイドするガイド枠部を有し、前記水槽の上端縁枠部に取り付けられる取り付け体と、
を備え、
前記支持脚体は、上下方向で所定間隔毎に設けられて、前記ガイド枠部を貫通する固定ねじに螺合される複数の雌ねじ部を有し、
前記取り付け体は、
前記水槽の上端縁枠部外面に当接する垂直壁部と、
この垂直壁部の上側に設けられて、水槽側に向いて開放された凹部と、
前記凹部の奥壁に対向する垂直片部の下端から凹部開口端まで延びる水平片部ならびにこの水平片部の先端から前記縁枠部の内面つば部上まで垂設された挟着片を有し、前記凹部内で奥行き方向へ変移可能に収容された可動挟着部材と、
前記凹部の奥壁および前記可動挟着部材の垂直片部に貫通して雌ねじ部に螺合することにより、挟着片と前記垂直壁部との間で前記縁枠部を締め付ける締め付け用ねじと、
を備え、
前記締め付け用ねじのねじ締めにより前記可動挟着部材を凹部奥側に変移させた際の前記水平片部の上方への変形を抑止する抑止部材を前記可動挟着部材に設けたことを特徴とする水槽用照明器具のリフト用具。
【請求項２】
前記抑止部材は、前記凹部に嵌入されるブロックにより構成される請求項１に記載の水槽用照明器具。
【請求項３】
前記雌ねじ部は、前記ブロックに設けられている請求項２に記載の水槽用照明器具のリフト用具。
【発明の詳細な説明】
【技術分野】
【０００１】
この発明は、鑑賞用水槽の上端縁枠部上に載置される横長の照明器具を該水槽上の所定高さまでリフトさせて支持可能な水槽用照明器具のリフト用具に関する。
【背景技術】
【０００２】
熱帯魚などを飼育する場合、夏期などに水槽内の水温が高くなると、鑑賞魚などに悪影響を及ぼすことがある。このため、一般に、前記水槽の上端縁枠部上に載置されている照明器具を所定高さまでリフトさせて気化熱を逃がしやすくさせることが行われている。照明器具を水面からリフトさせて、餌を与えやすくさせる場合も、この方法が採用されている。
【０００３】
この照明器具を水槽の上方に支持させるためのリフト用具として、従来、照明器具を下方から支持する支持部材の下面にロッドを垂設する一方、水槽の上端縁枠部に嵌着される下向きコ字形取り付け部材の上面に前記ロッドが挿入されるガイド用のパイプを立設したものが知られている（例えば、特許文献１）。
【特許文献１】特許第３３３８０１号公報
【発明の開示】
【発明が解決しようとする課題】
【０００４】
ところで、水槽の上端縁枠部は、水槽の大型化に伴ってその厚さが大きく変わるから、リフト用具の取り付けも簡単にこれに対応できる必要がある。
【０００５】
前記した従来の技術では、水槽の上端縁枠部に対して下向きコ字形の取り付け部材を嵌着するようになっているが、その取り付け部材の一対の立ち下がり片の間隔が一定であるから、大型水槽のように縁枠部材の厚さが大きくなると、取り付け部材を該縁枠部材に嵌着できず、一対の立ち下がり片の間隔の大きい別の取り付け部材を用意しなければならない。
【０００６】
また、前記水槽の上端縁枠部には、一般に、水面上方を被うガラス板などの透明板が載置される内面つば部が一体形成されているが、前記従来の技術では、取り付け部材における両立ち下がり片のうちの内側の立ち下がり片の長さを規定していないから、該内側立ち下がり片の先端が前記透明板に当たってしまい、前記取り付け部材を上端縁枠部に適正に嵌着できない事態が起きるおそれもある。
【０００７】
この発明は、上記実情に鑑みてなされたものであり、水槽の大きさに関係なく適用できるうえ、照明器具を水槽上の所定リフト位置に適正に支持できる水槽用照明器具のリフト用具を提供することを課題とする。
【課題を解決するための手段】
【０００８】
上記課題は以下の手段によって解決される。
【０００９】
［１］  鑑賞用水槽の上端縁枠部上に載置される横長の照明器具を該水槽上の所定高さまでリフトさせて支持可能な水槽用照明器具のリフト用具において、
上端部に前記照明器具の長手方向の端部を下方から保持するための保持部を有する支持脚体と、
幅方向中央部に前記支持脚体を上下方向へスライド変移可能にガイドするガイド枠部を有し、前記水槽の上端縁枠部に取り付けられる取り付け体と、
を備え、
前記支持脚体は、上下方向で所定間隔毎に設けられて、前記ガイド枠部を貫通する固定ねじに螺合される複数の雌ねじ部を有し、
前記取り付け体は、
前記水槽の上端縁枠部外面に当接する垂直壁部と、
この垂直壁部の上側に設けられて、水槽側に向いて開放された凹部と、
前記凹部の奥壁に対向する垂直片部の下端から凹部開口端まで延びる水平片部ならびにこの水平片部の先端から前記縁枠部の内面つば部上まで垂設された挟着片を有し、前記凹部内で奥行き方向へ変移可能に収容された可動挟着部材と、
前記凹部の奥壁および前記可動挟着部材の垂直片部に貫通して雌ねじ部に螺合することにより、挟着片と前記垂直壁部との間で前記縁枠部を締め付ける締め付け用ねじと、
を備え、
前記締め付け用ねじのねじ締めにより前記可動挟着部材を凹部奥側に変移させた際の前記水平片部の上方への変形を抑止する抑止部材を前記可動挟着部材に設けたことを特徴とする水槽用照明器具のリフト用具。
【００１０】
［２］  前記抑止部材は、前記凹部に嵌入されるブロックにより構成される前項１に記載の水槽用照明器具。
【００１１】
［３］  前記雌ねじ部は、前記ブロックに設けられている前項２に記載の水槽用照明器具のリフト用具。
【発明の効果】
【００１２】
前項［１］に記載の発明によれば、リフト用具における取り付け体の垂直壁部と可動挟着部材における挟着片との間に水槽の上端縁枠部を嵌入させ、この状態で前記締め付け用ねじを締め付けて前記可動挟着部材を変移させれば、前記挟着片と垂直壁部とで上端縁枠部が挟着されて、取り付け体が水槽の上端縁枠部に嵌着される。
【００１３】
そして、取り付け体におけるガイド枠部に支持脚体を嵌挿し、固定ねじを所定シフト高さに対応する雌ねじ部の一つを選択して螺合させれば、支持脚体が取り付け体に固定され、ついで、前記支持脚体の上部に照明器具の端部を保持させれば、前記照明器具を水槽上の所定リフト位置に支持でき、夏期などに水温が異常に上昇するのが抑制される。
【００１４】
また、前記取り付け体の垂直壁部と可動挟着部材における挟着片との間に水槽の上端縁枠部を嵌入させる構成であるから、水槽の大型化によって上端縁枠部２０が厚肉化した場合でも、前記挟着片を移動させて、容易に対応できる。
【００１５】
さらに、前記挟着片の垂設長さが規定してあるから、水槽の上端縁枠部の内面つば部上に透明板が載置されている場合にも、この可動挟着部材をそのまま適用できる。
【００１６】
とくに、前記締め付け用ねじによる締め付けにより可動挟着部材をコ字形凹部の奥壁側に引き寄せた際に、該可動挟着部材の水平片部が上方へ屈曲変形しようとするが、前記可動挟着部材に設けた抑止部材により、前記変形が未然に防止され、従って前記取り付け体の取り付け状態が堅固に保持される。
【００１７】
前項［２］に記載の発明によれば、抑止部材を、凹部に嵌入されるブロックにより構成しているため、可動挟着部材の水平片部における上方への変形を、より確実に防止でき、前記取り付け体を、より安定した状態に取り付けることができる。
【００１８】
前項［３］に記載の発明によれば、締め付け用ねじがブロックにおける雌ねじ部に螺合して該ブロックが可動挟着部材に一体化されるから、前記水平片部の変形抑止作用が一層有効に発揮される。
【発明を実施するための最良の形態】
【００１９】
以下、この発明の実施形態を図面に基づいて説明する。
【００２０】
図１は、この発明の実施形態にかかる水槽用照明器具のリフト用具を使用状態で示す斜視図で、図２は、照明器具の一部を示す外観図である。
【００２１】
図１および図２において、水槽２の左右両端に跨がって設置される照明器具１は、リフト用具３，３を使用して所定高さ位置までリフトされて前記水槽２上に支持されている。
【００２２】
水槽２の上端部には、全周に亘る環状の上端縁枠部２０が装着されており、この上端縁枠部２０における環状の内面つば部２０ａ上には、ガラスなどの透明板４が載置されている。
【００２３】
前記照明器具１は、例えば左右方向の長さが９０〜１２０ｃｍの大型水槽用に使用されるものであり、器具本体１１の左右方向（長手手向）の両端部には、それぞれ側板部材１２，１３が配置されている。
【００２４】
この器具本体１１には、水槽１内に光を照射する光源として、蛍光灯１４が配備されており、この蛍光灯１４と前記器具本体１１の内面との間には、蛍光灯１４からの光を下方へ反射させる反射板１５が配設されている。
【００２５】
前記器具本体１１に一方に側板部材１２からは、蛍光灯１４に電力を供給するための電源コード１６が引き出されており、また、その側板部材１２には、図示しない電源スイッチが配備されている。
【００２６】
なお、前記器具本体１１は、長さ方向で複数、例えば２分割にした構成とし、運送時などには２つ折りにできるようにしたものであってもよい。
【００２７】
前記左右のリフト用具３，３は同一の構成であるので、一方のリフト用具３を代表してその構成を図３および図４に基づいて説明する。
【００２８】
図３および図４において、リフト用具３は、照明器具１の側板部材１３の外面に対向して上下方向へ変移可能に配設された支持脚体３０と、前記水槽２の上端縁枠部２０に取り付けられる取り付け体４０とを備えている。
【００２９】
前記支持脚体３０は、例えば合成樹脂からなる縦長の板体３０Ａの裏面側に補強リブ３０Ｂを一体形成した板状体から構成されており、その上端には、前記照明器具１の側板部材１３における下端リブ１１ａを係止して保持する保持部３１が設けられている。勿論、支持脚体３０は、中実板体で構成してもよい。
【００３０】
この保持部３１は、支持脚体３０の幅方向（前後方向）の両端部にそれぞれ形成されて、前記側板部材１３における下端リブ１１ａの内面側に係止する一対の金属製Ｌ字形片３２，３２と、前記支持脚体３０の上部に位置して設けられた雌ねじ部３４と、先端に側板部材押圧用パッド３３を有し、雌ねじ部３４に螺合された押圧ねじ３５とからなる。なお、前記雌ねじ部３４は、例えばナットからなる。また、前記一対のＬ形片３２，３２は、一体に連成されたものであってもよい。
【００３１】
前記支持脚体３０には、上下方向で一定間隔毎に複数の雌ねじ部３６が設けられており、これらの雌ねじ部３６のうちの１つに、後述する取り付け体４０におけるガイド枠部４１に形成されているねじ挿通孔４１ａを挿通した固定ねじ３７を螺入させるようになっている。
【００３２】
これら雌ねじ部３６は、例えばナットで構成されており、前記照明器具１を任意のリフト位置を設定する際に、そのリフト位置に対応した１つが選択される。
【００３３】
前記取り付け体４０は、例えば合成樹脂からなるガイド枠部４１と、垂直壁部４２と、前後一対の凹部４３，４３と、前後一対の可動挟着部材４４，４４と、締め付け用ねじ４５，４５とを備えている。
【００３４】
前記ガイド枠部４１は、取り付け体４０の前後方向の中央に位置し、前記支持脚体３０をスライド可能に嵌挿させて、上下方向のスライドをガイドするためのものであり、がたつきなくガイドできるように、前記支持脚体３０の横断面形状と同じ横断面形状に成形されている。
【００３５】
また、ガイド枠部４１には、前記水槽２の上端縁枠部２０の外面に当接する垂直壁部４２が一体形成されており、さらに、この垂直壁部４２の上側には、水槽２側に向いて開放された縦断面形状がコ字形の前後一対の凹部４３，４３が一体形成されている。
【００３６】
前記可動挟着部材４４は、前記各凹部４３内に奥行き方向へ変移可能に収容されている。この可動挟着部材４４は、例えば金属板を折り曲げて成形されたものであり、前記凹部４３の奥壁４３ａに沿った垂直片部４４ａと、上部水平片部４４ｂと、凹部開口端まで延びる下部水平片部４４ｃと、この水平片部４４ｃの前端から前記縁枠部２０の内側環状つば部２０ａ上まで延設された（長さｔ）の挟着片４４ｄとからなる。
【００３７】
前記締め付け用ねじ４５は、凹部４３の各の奥壁４３ａに形成されたねじ挿通孔４６に挿通されて、前記可動挟着部材４４のおける垂直片部４４ａに貫通されるものであり、後述するように可動挟着部材４４を後退させて、前記挟着片４４ｄと前記垂直壁部４２との間で水槽２の上端縁枠部２０を厚さ方向から締め付けさせるようになっている。
【００３８】
なお、４１０は、前記ガイド枠部４１の内側壁面部を構成するために、前記一対の凹部４３，４３の下側の位置に横設された金属板である。
【００３９】
前記各可動挟着部材４４内には、それぞれ図４に示すように、前記水平片部４４ｃの上方への変形を抑制する抑止部材としてのブロック５０が収容されている。
【００４０】
このブロック５０は、例えば合成樹脂からなり、前記可動挟着部材４４における垂直片部４４ａに対向する内外２重の垂直壁５０ａ，５０ｂと、この垂直壁部５０ａ，５０ｂに一体形成されて、前記可動挟着部材４４における水平片部４４ｃに重合される水平壁５０ｃと、前記２重の垂直壁５０ａ，５０ｂ間にその上部から圧入されたナットからなる雌ねじ部５１と、前記２重の垂直壁５０ａ，５０ｂに形成されて、前記締め付けねじ４５を挿通させるねじ挿通孔５０ｄとを備えており、前記ねじ４５を雌ねじ部５１に螺合させて可動挟着部材４４を凹部４３の奥側に変移させた際、前記水平片部４４ｃの上方への変形を抑止するように構成されている。
【００４１】
つぎに、上記構成の水槽用照明器具１のリフト用具３の使用手順を説明する。
【００４２】
夏場などに水槽２内の水温が上昇した際には、水槽２側の左右両端にリフト用具３，３を設置して照明器具１を所定高さまでリフトさせる。
【００４３】
まず、取り付け体４０における垂直壁部４２と前記可動挟着部材４４における挟着片４４ｄとの間を水槽２の上端の縁枠部２０に嵌め込み、締め付け用ねじ４５を支持脚体３０における雌ねじ孔３６の一つに螺合して締め付け操作すれば、可動挟着部材４４が相対的に奥壁４側へ変移するから、前記垂直壁部４２と可動挟着部材４４の挟着片４４ｄとの間で前記水槽２の上端縁枠部２０が締め付けられて、これにより前記取り付け体４０が水槽２の上端縁枠部２０に固定される。
【００４４】
この後、前記取り付け体４０に支持脚体３０を内嵌する。この状態で照明器具１の所定高さ位置に対応する長さになるように、前記支持脚体３０における複数の雌ねじ部３４の一つを選択してから、前記ガイド枠部４１におけるねじ挿通孔４１ａを挿通したねじ３７を前記雌ねじ部３６に螺入すれば、この取り付け体４０に前記支持脚体３０が固定される。
【００４５】
最後に、前記照明器具１における側板部材１の下端リブ１１ａを、支持脚体３０の上部におけるＬ字形片３２と押圧ねじ３５の先端パッド３３と間に挿入し、押圧ねじ３５をねじ込むと、前記下端リブ１１ａがＬ字形片３２とパッド３３とで挟持されて固定される。
【００４６】
これにより、照明器具１を水槽２の上方の所定高さにリフトした状態で支持でき、これにより、水面上が開放されて水温の上昇を最小限に抑えることができる。
【００４７】
このように、照明器具１を支持するための支持脚体８１と、水槽２に取り付けられる取り付け体４０との組み合わせた簡単な構成により、比較的簡単に照明器具１をリフトさせて設置できるうえ、構造が簡単であるから、故障も起きにくく、従って大形の照明器具１の設置に対応可能となる。
【００４８】
また、前記取り付け体４０の垂直壁部４２と可動挟着部材４４における挟着片４４ｄとの間に水槽２の上端縁枠部２０を嵌入させる構成であるから、水槽２の大型化によって上端縁枠部２０が厚肉化した場合でも、前記挟着片４４ｄを前記厚さ方向へ変移させることができ、このため、前記上端縁枠部２０の厚み変化に容易に対応可能となる。
【００４９】
さらに、前記挟着片４４ｄの垂設長さ（垂直長さ）ｔを前記水槽２の上端縁枠部２０の内面つば部２０ａ上に載置された透明板４の上まで延びるように規定してあるから、上記可動挟着部材４４をそのまま適用できる。
【００５０】
ところで、前記可動挟持部材４４内のブロック５０を収容してないと、前記締め付け用ねじ４５による締め付けにより可動挟着部材４４をコ字形凹部４３の奥壁４３ａ側に引き寄せた際に、該可動挟着部材４４の水平片部４４ｃが図５の鎖線で示すように、上方へ屈曲変形しようとする。
【００５１】
これに対して、ここでは、前記可動挟着部材４４内に内嵌したブロック５０が該可動挟着部材４４の水平片部４４ｃと凹部４３の内壁との間の突っ張り作用として働き、前記水平片部４４ｃの上方への変形が抑制され、もって、前記取り付け体４０の取り付け状態が堅固に保持される。
【００５２】
とくに、前記ブロック５０の雌ねじ部５１に締め付け用ねじ４５が螺合されることにより、該ブロック５０が可動挟着部材４４に密着状態で一体化されるから、前記水平片部４４ｃの変形防止機能が一層有効に発揮される。
【００５３】
なお、前記ブロック５０は、前記実施例のものに限らず、種々の形状のものを採用可能である。
【図面の簡単な説明】
【００５４】
【図１】この発明の実施形態にかかる水槽用照明器具のリフト用具を使用状態で示す斜視図である。
【図２】照明器具の端部を示す斜視図である。
【図３】同じくリフト用具を示す分解斜視図である。
【図４】同じくリフト用具を示す使用状態で示す縦断面図である。
【図５】可動挟着部材の水平片部の変形の説明図である。
【符号の説明】
【００５５】
１・・・・照明器具
２・・・・鑑賞用水槽
３・・・・リフト用具
２０・・・上端縁枠部
２０ａ・・内面つば部
３０・・・支持脚体
３１・・・保持部
３６・・・雌ねじ部
４０・・・取り付け体
４１・・・ガイド枠部
４２・・・垂直壁部
４３・・・凹部
４３ａ・・凹部の奥壁
４４・・・可動挟着部材
４４ａ・・可動挟着部材の垂直片部
４４ｂ・・可動挟着部材の水平片部
４４ｄ・・挟着片
４５・・・締め付け用ねじ
５０・・・ブロック
５１・・・雌ねじ部
【図１】
2006217885.tif 000003
【図２】
2006217885.tif 000004
【図３】
2006217885.tif 000005
【図４】
2006217885.tif 000006
【図５】
2006217885.tif 000007